(57)【特許請求の範囲】
【請求項１】
前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出体を備えた演出装置であって、
前記演出体は、
先端部と基端部との間で延び、駆動源からの駆動力によって演出時に前記基端部側を軸に回動し、前記装飾枠の前記開口部内に前記先端部を配置する本体部と、
前記本体部の前記基端部に設けられ、前後方向を軸方向にして前記演出体を回動可能に軸支する軸体と、
前記本体部の前記先端部に設けられ、前記本体部の延伸方向に沿って前記基端部から離れた突出位置と、前記突出位置よりも前記基端部に近づいた退行位置との間で移動する可動部と、
前記本体部の前記先端部に設けられ、前記可動部が前記突出位置に移動したとき前記可動部に当接し、前記可動部の前記延伸方向への移動を規制する規制部材と、
前記可動部を前記突出位置へ向けて付勢する付勢部材と、
通電によって前記可動部を前記退行位置に向けて移動するソレノイドと
を備え、
且つ、
前記本体部の前記基端部で、前記軸体とは異なる位置に設けられ、前記駆動源からの駆動力を前記演出体に伝達する伝達部と、
一端部と他端部との間で左右方向に延び、前記左右方向に移動するラックギアと、
前記ラックギアの前記一端部に設けられ、前記伝達部と係合し、前記ラックギアの移動時に内周面により前記伝達部を前記左右方向へ押圧しつつ、前記伝達部の移動を相対的に上下方向に案内する案内部と、
前記駆動源に接続して前記ラックギアに噛合し、前記駆動源の駆動力を前記ラックギアに伝達するピニオンギアと
を更に備えたこと
を特徴とする演出装置。
【請求項２】
前記演出体の前記可動部は、
前記可動部が前記突出位置に移動したとき前記規制部材に当接する当接部と、
前記当接部と一体に形成され、前記延伸方向に沿って延び、前記可動部と共に前記延伸方向に移動する移動部と
を備え、
前記規制部材は、前記移動部に係合し、前記移動部の前記延伸方向への移動を誘導する誘導部を備え、
前記誘導部は、前記移動部との間に所定の間隙を有し、前記移動部の前記延伸方向に直交する方向への位置ずれを許容することを特徴とする請求項１に記載の演出装置。
【請求項３】
前記当接部は、前記ソレノイドのプランジャの先端部に組み付けられて、前記プランジャの軸線に対する周方向に揺動可能であり、
前記誘導部は、前記当接部と一体の前記移動部の前記周方向への位置ずれを許容することを特徴とする請求項２に記載の演出装置。
【請求項４】
前記案内部は、前記左右方向における前記伝達部との間に所定の間隙を有し、前記伝達部の前記左右方向への位置ずれを許容することを特徴とする請求項１から３のいずれかに記載の演出装置。
【請求項５】
前面に遊技球が流下する遊技領域が形成された遊技盤と、
前記遊技盤の裏側に設けられて各種図柄を可変表示する図柄表示装置と、
前記遊技盤に設けられて前後に貫通する開口部を有し、前記開口部を介して前記図柄表示装置の表示部を露出する装飾枠と、
前記装飾枠に設けられた請求項１から４のいずれかに記載の演出装置と
を備えたことを特徴とする遊技機。
【発明の詳細な説明】
【技術分野】
【０００１】
本発明は、遊技状態に応じて図柄表示装置の前面に移動し、演出を行う演出装置及び遊技機に関する。
【背景技術】
【０００２】
従来、パチンコ機に設け、遊技状態に応じて図柄表示装置の前面に移動して演出を行う演出装置が知られている。例えば特許文献１に記載の第１可動役物ユニットの第１ユニットベースは、非演出時、表示開口部の上縁部と変動表示装置との間に配置される。演出時、第１ユニットベースは下方のステージ部へ向けて下り傾斜し、移動端部が変動表示装置の表示部前方に位置する。第１ユニットベースの全ての第１装飾本体部は、同じ方向に回動して、装飾動作を実行する。演出体の可動部に、単なる回転の動作でなく、例えば、振動する動作を行わせたい場合、可動部の動力源として、例えば、振動モータを用いることができる。
【先行技術文献】
【特許文献】
【０００３】
【特許文献１】特開２０１２−１２５４５７号公報
【発明の概要】
【発明が解決しようとする課題】
【０００４】
しかしながら、演出体の可動部を振動モータで振動させた場合、振動の動作は視覚的にストロークの小さな動作であるため、可動部の動作が目立たないという問題があった。
【０００５】
本発明の目的は、演出体の可動部に振動の動作を行わせつつ、ストロークの大きな動作によって演出動作を目立たせることができる演出装置及び遊技機を提供することである。
【課題を解決するための手段】
【０００６】
本発明の第一態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠とを備えた遊技機の前記装飾枠に設けられ、動作による演出を行う演出体を備えた演出装置であって、前記演出体は、先端部と基端部との間で延び、駆動源からの駆動力によって演出時に前記基端部側を軸に回動し、前記装飾枠の前記開口部内に前記先端部を配置する本体部と、前記本体部の前記基端部に設けられ、前後方向を軸方向にして前記演出体を回動可能に軸支する軸体と、前記本体部の前記先端部に設けられ、前記本体部の延伸方向に沿って前記基端部から離れた突出位置と、前記突出位置よりも前記基端部に近づいた退行位置との間で移動する可動部と、前記本体部の前記先端部に設けられ、前記可動部が前記突出位置に移動したとき前記可動部に当接し、前記可動部の前記延伸方向への移動を規制する規制部材と、前記可動部を前記突出位置へ向けて付勢する付勢部材と、通電によって前記可動部を前記退行位置に向けて移動するソレノイドとを備え、且つ、前記本体部の前記基端部で、前記軸体とは異なる位置に設けられ、前記駆動源からの駆動力を前記演出体に伝達する伝達部と、一端部と他端部との間で左右方向に延び、前記左右方向に移動するラックギアと、前記ラックギアの前記一端部に設けられ、前記伝達部と係合し、前記ラックギアの移動時に内周面により前記伝達部を前記左右方向へ押圧しつつ、前記伝達部の移動を相対的に上下方向に案内する案内部と、前記駆動源に接続して前記ラックギアに噛合し、前記駆動源の駆動力を前記ラックギアに伝達するピニオンギアとを更に備えたことを特徴とする演出装置が提供される。
【０００７】
演出時、可動部はソレノイドが通電されることによって退行位置へ移動する。可動部は、ソレノイドが非通電となることによって、付勢部材によって付勢され、突出位置へ向けて移動する。可動部は、突出位置で規制部材に当接したとき、反力によって跳ね返り、退行位置へ向けて僅かに移動するが、付勢部材によって突出位置に戻される。この一連の動作が繰り返されることによって、可動部は、突出位置と退行位置との間で、跳ね返りと付勢による延伸方向への微小な揺れを含む往復移動を行う。故に、演出装置は、ソレノイドの駆動によって、可動部を大きなストロークで目立つように往復移動させながらも、可動部にあたかも振動モータを内蔵するかの如き動作を行わせることができる。
【０００８】
第一態様において、前記演出体の前記可動部は、前記可動部が前記突出位置に移動したとき前記規制部材に当接する当接部と、前記当接部と一体に形成され、前記延伸方向に沿って延び、前記可動部と共に前記延伸方向に移動する移動部とを備えてもよい。前記規制部材は、前記移動部に係合し、前記移動部の前記延伸方向への移動を誘導する誘導部を備えてもよい。前記誘導部は、前記移動部との間に所定の間隙を有し、前記移動部の前記延伸方向に直交する方向への位置ずれを許容してもよい。誘導部は、移動部の延伸方向に直交する方向への位置ずれを許容する。よって、演出体の可動部は、突出位置と退行位置との間で往復移動を行う際に、延伸方向に直交する方向に、微小に揺れながら移動することができる。故に、演出装置は、ソレノイドの駆動によって、可動部を大きなストロークで目立つように往復移動させながらも、可動部にあたかも振動モータを内蔵するかの如き動作を行わせることができる。
【０００９】
第一態様において、前記当接部は、前記ソレノイドのプランジャの先端部に組み付けられて、前記プランジャの軸線に対する周方向に揺動可能であってもよい。前記誘導部は、前記当接部と一体の前記移動部の前記周方向への位置ずれを許容してもよい。誘導部は、移動部の周方向への位置ずれを許容する。よって、演出体の可動部は、突出位置と退行位置との間で往復移動を行う際に、周方向にも微小に揺れながら移動することができる。故に、演出装置は、ソレノイドの駆動によって、可動部を大きなストロークで目立つように往復移動させながらも、可動部にあたかも振動モータを内蔵するかの如き動作を行わせることができる。
【００１０】
第一態様において、前記案内部は、前記左右方向における前記伝達部との間に所定の間隙を有し、前記伝達部の前記左右方向への位置ずれを許容してもよい。案内部は、伝達部の左右方向への位置ずれを許容する。よって演出体は、可動部が突出位置と退行位置との間で往復移動を行う際に、可動部の移動に伴い生ずる振動で、左右方向に微小に揺れることができる。故に、演出装置は、ソレノイドの駆動によって、可動部を大きなストロークで目立つように往復移動させながらも、可動部にあたかも振動モータを内蔵するかの如き動作を行わせ、且つその動作に合わせて演出体を揺れ動かすことができる。
【００１１】
本発明の第二態様によれば、前面に遊技球が流下する遊技領域が形成された遊技盤と、前記遊技盤の裏側に設けられて各種図柄を可変表示する図柄表示装置と、前記遊技盤に設けられて前後に貫通する開口部を有し、前記開口部を介して前記図柄表示装置の表示部を露出する装飾枠と、前記装飾枠に設けられた請求項１から４のいずれかに記載の演出装置とを備えたことを特徴とする遊技機が提供される。第一態様に係る演出装置を備えたことで、第二態様は、第一態様と同様の効果を得ることができる。
【図面の簡単な説明】
【００１２】
【図１】パチンコ機１の正面図である。
【図２】遊技盤２の正面図である。
【図３】演出体８０が収納部６０内に移動した状態の演出装置５０の斜視図である。
【図４】演出装置５０の分解斜視図である。
【図５】演出体８０が収納部６０内に移動した状態で、前カバー５３とギアカバー６４を外した演出装置５０の正面図である。
【図６】可動部８３が退行位置に移動した状態の演出体８０の斜視図である。
【図７】演出体８０の分解斜視図である。
【図８】可動部８３が突出位置に移動した状態の演出体８０の斜視図である。
【図９】演出体８０が演出時の位置に移動した状態で、前カバー５３とギアカバー６４を外した演出装置５０の正面図である。
【図１０】軸体８４，８５、伝達部１０４及び突片１０１と溝部６７との位置関係を模式的に示す図である。
【発明を実施するための形態】
【００１３】
以下、本発明の一実施形態である演出装置５０及びパチンコ機１について、図面を参照して説明する。まず、演出装置５０を備えるパチンコ機１の機械的な構成について、図１、図２を参照して説明する。なお、以下の説明において、パチンコ機１の上下方向、左右方向、及び表裏方向については、特に断りがない場合、遊技盤２の盤面の向きを基準とする。即ち、ホールに設置されたパチンコ機１で遊技を行う遊技者からパチンコ機１を見た向き（即ち図１に図示されるパチンコ機１の向き）が基準となる。以下では便宜上、表裏方向を前後方向として、説明を行う。また、パチンコ機１に使用される装置や部品についても、パチンコ機１に組み付けられた場合の向きを基準に、上下方向、左右方向、及び前後方向を規定するものとする。
【００１４】
図１、図２に示すように、パチンコ機１の上段側には遊技盤２が設けられている。遊技盤２は略正方形であり、透明なガラス板を保持した前面枠１３によって前面を保護されている。遊技盤２の下段側には上皿５及び下皿６が設けられている。上皿５は遊技盤２の下部に設けられ、発射機（図示略）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部で左右の角には、スピーカ４８が夫々設けられている。
【００１５】
遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等を用いて構成される図柄表示装置２８が設けられている。図柄表示装置２８は遊技盤２の背面側に配置され、遊技盤２の略中央に設けられた開口を介し、表示面２７をパチンコ機１の前面に露出する。表示面２７には動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１６】
遊技盤２の開口の縁部には装飾等が施され、図柄表示装置２８の外縁を取り囲む装飾枠１４が設けられている。図柄表示装置２８は、装飾枠１４の開口部１９を介し、表示面２７をパチンコ機１の前面に露出する。装飾枠１４には、装飾枠１４と共に各種演出を行う複数の演出装置が設けられている。演出装置は装飾枠１４内、あるいは装飾枠１４と図柄表示装置２８との間に配置される。演出装置は、遊技状態に応じ、その場で、あるいは図柄表示装置２８の前側にせり出して、ＬＥＤ等の発光体を発光させる等の演出を行う。そのうちの一つである演出装置５０は、図柄表示装置２８の上側外縁に沿って設けられている。詳細については後述するが、演出装置５０は、非演出時には正面から見て装飾枠１４の開口部１９の上側縁部に隠れた位置に配置される（図２参照）。演出装置５０は、演出時にはモータの動力を用いて装飾体を駆動し、更にＬＥＤ等の発光体を発光させ、図柄表示装置２８及びスピーカ４８等と連動しながら様々な演出を行う。
【００１７】
図柄表示装置２８の左方には普通図柄始動ゲート１２が設けられている。普通図柄始動ゲート１２の下方には大入賞口１７が設けられている。図柄表示装置２８の下方には、第一特別図柄始動入賞口１５が設けられている。第一特別図柄始動入賞口１５の直下には第二特別図柄始動電動役物１６が設けられている。第二特別図柄始動電動役物１６は開閉部材を備える。遊技球は、開閉部材が開放された場合にのみ第二特別図柄始動電動役物１６に入賞することができる。第一特別図柄始動入賞口１５、第二特別図柄始動電動役物１６に遊技球が入賞すると、夫々所定数の遊技球が賞品球として払い出される。第二特別図柄始動電動役物１６の下側には、遊技領域４の中央下端部まで流下した遊技球を回収するアウト口１８が設けられる（図２参照）。
【００１８】
遊技領域４の右斜め下部には図柄表示部２４（図２参照）が設けられている。図柄表示部２４は、普通図柄表示部、第一特別図柄表示部、第二特別図柄表示部、普通図柄記憶数表示ＬＥＤ、第一特別図柄記憶数表示ＬＥＤ、及び第二特別図柄記憶数表示ＬＥＤを備える。
【００１９】
本実施形態では、第一特別図柄始動入賞口１５へ遊技球が入賞すると、第一大当り判定が行われ、判定の結果に応じて複数の特別図柄のうちの１つが図柄表示部２４の第一特別図柄表示部に表示される。その結果、大当たりであると判定されると、大入賞口１７が開放される大当たり遊技が実行される。大入賞口１７に入賞した遊技球の流路には、特定領域が形成されている。パチンコ機１では、大当たり遊技中に遊技球が大入賞口１７内の特定領域を通過することが、大当たり遊技終了後に確率変動状態を生起する条件となっている。なお、遊技盤２の背面側には、遊技の主制御、各種演出等を制御する制御部（図示略）が設けられている。
【００２０】
また、普通図柄始動ゲート１２を遊技球が通過すると普通当り判定が行われて、判定結果が図柄表示部２４の普通図柄表示部に表示される。その結果、普通当たりであると判定されると、第二特別図柄始動電動役物１６が開放される。第二特別図柄始動電動役物１６へ遊技球が入賞すると、第二大当り判定が行われ、判定結果は図柄表示部２４の第二特別図柄表示部に表示される。その結果、大当たりであると判定されると、上記同様に大当たり遊技が実行される。
【００２１】
普通図柄記憶数表示ＬＥＤは、普通図柄作動保留球数を４つまで表示する。普通図柄作動保留球数とは、普通図柄始動ゲート１２を通過し、且つ普通図柄表示部に普通当り判定の結果がまだ表示されていない遊技球の個数である。図柄表示部２４の第一特別図柄記憶数表示ＬＥＤは、第一特別図柄作動保留球数を４つまで表示する。第一特別図柄作動保留球数とは、第一特別図柄始動入賞口１５に入賞し、且つ第一大当り判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１６に入賞し、且つ第二大当り判定の結果がまだ表示されていない遊技球の個数である。
【００２２】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、大入賞口１７を開閉するソレノイドを駆動する。また、演出基板のＣＰＵ（図示略）は、演出装置５０を作動する駆動モータ５２（図３参照）の駆動制御、演出装置５０が備える電飾用のＬＥＤ（図示略）等の発光制御等を行う。
【００２３】
次に、演出装置５０の構造について説明する。前述したように、本実施形態の演出装置５０は、図柄表示装置２８の上側外縁に沿って装飾枠１４内に設けられる。図３〜図５に示すように、演出装置５０は、前後方向に厚みを有し、左右方向に延びる背板５１に、演出を行う演出体８０と、演出体８０を回動する駆動モータ５２を組み付けた装置である。演出体８０は、先端部８１と基端部８２との間で延び、先端部８１に、演出時に動作する可動部８３を備える。基端部８２には、前後方向の両側に、同軸且つ一対の軸体８４，８５が設けられる。演出体８０は、軸体８４，８５を中心に回動する。演出体８０の詳細な構成は後述する。
【００２４】
背板５１の前面には、前カバー５３が取り付けられる。前カバー５３は、背板５１の左右方向の略中央よりも左寄りの位置から右端にかけての部分に設けられる。前カバー５３は、前板５４、天板５５、左側板５６及び右側板５７を有する。前板５４は、背板５１の前方に配置され、背板５１に対向する。天板５５、左側板５６及び右側板５７は、夫々、前板５４の上端、左端及び右端から後方へ向けて延びる。前カバー５３は、天板５５及び右側板５７の後端部分がねじ留めされて、背板５１に固定される。前カバー５３と背板５１は、前板５４、天板５５、左側板５６、右側板５７及び背板５１を外壁とし、下部を開放する箱状の収納部６０（図３参照）を構成する。背板５１の下端部は、収納部６０の開口よりも下方に位置する。収納部６０には、非演出時に演出体８０が収納される。
【００２５】
背板５１の略中央には軸受５８が形成されている。軸受５８は、演出体８０の基端部８２後側に設けられた軸体８４を支持する。背板５１の軸受５８の位置に対応する前板５４の位置にも、軸受５９が形成されている。軸受５９は、演出体８０の基端部８２前側に設けられた軸体８５を支持する。一対の軸受５８，５９は、収納部６０内を挟んで同軸となる位置に設けられる。演出体８０は、一対の軸体８４，８５が一対の軸受５８，５９によって支持されることで、演出装置５０に回動可能に組み付けられる。
【００２６】
軸受５８の右上にはストッパ１０９が設けられている。ストッパ１０９は、非演出時に演出体８０が収納部６０内に収容されたとき、演出体８０の本体部８６の第一側壁８８（図６参照）に当接し、演出体８０の反時計回りへの回動を規制する。軸受５８の左下にはストッパ１１０が設けられている。ストッパ１１０は、演出体時に演出体８０が収納部６０から露出されたとき、演出体８０の本体部８６の第二側壁８９（図６参照）に当接し、演出体８０の時計回りへの回動を規制する。
【００２７】
背板５１の前面には、溝部６７が形成される。溝部６７は、背板５１の下端部から収納部６０内に延びる。詳細は後述するが、溝部６７の右側壁６８は、第一溝部６９、第二溝部７０、第三溝部７１を有する（図９参照）。溝部６７の右側壁６８は、収納部６０内への演出体８０の収納時に演出体８０の突片１０１（図６参照）に当接し、突片１０１を案内する。また、収納部６０内で、軸受５８，５９よりも右方且つ上方の位置には、フォトセンサ１０３が設けられる。フォトセンサ１０３は、前カバー５３の前板５４の背面に、ねじ留めによって固定される。フォトセンサ１０３は、演出体８０の遮蔽板１０２（図６参照）を検出する。フォトセンサ１０３は、収納部６０に演出体８０を収納するときの演出体８０の位置決めに用いられる。
【００２８】
収納部６０の左側には、棚板６１が設けられる。棚板６１は、ねじ留めによって背板５１の前面に固定され、前方へ向けて棚状に突出する。棚板６１上には、駆動モータ５２が配置される。駆動モータ５２は、例えばステッピングモータである。駆動モータ５２は、カバー体６６に覆われて保護される。駆動モータ５２の出力軸（図示略）は、棚板６１を上下に貫通する貫通穴内に挿通される。駆動モータ５２の出力軸には、ピニオンギア６２が固定される。ピニオンギア６２は、棚板６１の下側に配置され、上下方向を軸方向にして回転する。
【００２９】
ピニオンギア６２にはラックギア６３が噛合する。ラックギア６３は左右方向に長く延びる。ラックギア６３は歯面を後方へ向け、ピニオンギア６２の前側に配置される。ラックギア６３は、駆動モータ５２の駆動によって回動するピニオンギア６２に従動し、左右方向に移動する。棚板６１の下部にはギアカバー６４が取り付けられる。ギアカバー６４は、ピニオンギア６２とラックギア６３とが噛合する部分を覆う。棚板６１とギアカバー６４は、夫々、ラックギア６３の上端と下端を移動可能な状態で保持し、ラックギア６３とピニオンギア６２とが噛合した状態を維持する。
【００３０】
ラックギア６３の右端部には、案内部６５が設けられる。案内部６５は上下方向に延びる溝形状に形成される。案内部６５の上下両側の端部は閉じられ、案内部６５は、前後方向に貫通する長円状の穴部として構成される。案内部６５は、溝形状の穴部として簡易に構成することができるので、ラックギア６３と一体に形成することができる。案内部６５は、演出体８０の伝達部１０４（後述）に係合する。案内部６５の溝幅Ｗ１は、伝達部１０４に設けられるワッシャ１０５の外径Ｗ２よりも若干大きい（図４参照）。ラックギア６３の左右方向への移動に伴い、案内部６５は、伝達部１０４の上下方向への相対的な移動を案内する。
【００３１】
演出体８０について説明する。以下の説明において、演出体８０の本体部８６が延びる方向を演出体８０の延伸方向とし、可動部８３が設けられた側を先端側、軸体８４，８５が設けられた側を基端側とする。また、延伸方向及び前後方向に直交する方向を演出体８０の幅方向とし、演出体８０の収納部６０への収納時に上側に位置する側を一端側、下側に位置する側を他端側とする。
【００３２】
図６〜図８に示すように、演出体８０の本体部８６は、先端部８１と基端部８２との間で延伸方向に延びる。本体部８６は、後側が開放するＵ字溝状に形成され、前壁８７、第一側壁８８、第二側壁８９を備える。第一側壁８８は、幅方向において、前壁８７の一端部から後方へ向けて立ち上がる。第二側壁８９は、前壁８７の幅方向の他端部から後方へ向けて立ち上がる。本体部８６の基端部８２には、軸体８４，８５が設けられる。軸体８４は、基端部８２の後側で、本体部８６の基端寄り、且つ第一側壁８８寄りの位置に設けられる。軸体８５は、基端部８２の前側（前壁８７側）で、本体部８６の基端寄り、且つ第一側壁８８寄りの位置に設けられる。前述したように、軸体８４，８５は、前後方向において同軸且つ一対に設けられる。
【００３３】
本体部８６は、第一側壁８８に遮蔽板１０２を備える。遮蔽板１０２は、前後方向に厚みを有する板状に形成される。遮蔽板１０２は、第一側壁８８において前壁８７寄りの位置に設けられ、幅方向一端側へ向けて突出する。演出体８０の収納時、遮蔽板１０２は、収納部６０内のフォトセンサ１０３（図５参照）が検出可能な位置に配置される。演出基板のＣＰＵは、駆動モータ５２の制御において、フォトセンサ１０３の検出結果に基づいて、演出体８０の回動における原点位置（収納部６０に収納された状態の演出体８０の位置）を補正する。
【００３４】
図４に示すように、本体部８６は、前壁８７に伝達部１０４を備える。伝達部１０４は、基端部８２において、軸体８４よりも延伸方向先端側、且つ第二側壁８９（図６参照）寄りの位置に設けられる。伝達部１０４は、前壁８７の前方へ向けてピン状に突出する。ピン状の伝達部１０４は簡易な構成であるので、本体部８６と一体に形成することができる。伝達部１０４には、樹脂製のワッシャ１０５が嵌められる。伝達部１０４は、ワッシャ１０５を介し、ラックギア６３の案内部６５の穴部内を挿通される。ワッシャ１０５は、ねじ留めによって伝達部１０４に組み付けられ、伝達部１０４と案内部６５の係合を維持する。伝達部１０４は案内部６５の溝内を移動することができる。本体部８６が軸体８４，８５を軸に回動するので、伝達部１０４は案内部６５に係合しながら、軸体８４，８５の軸心を中心に下側に膨らむ円弧状の軌道に沿って揺動する。演出体８０は、本体部８６の基端部８２において、軸体８４，８５よりも先端部８１も近い側に伝達部１０４を配置することで、回転半径を大きくすることができる。
【００３５】
このように、演出装置５０は、駆動モータ５２の駆動力をラック＆ピニオン機構によって演出体８０の伝達部１０４に伝達することができる。例えば駆動モータ５２の駆動力を複数のギアを連結して伝達する場合と比べると、駆動力の伝達における損失が少なく、且つ駆動モータ５２を演出体８０から離れた位置に容易に配置することができる。
【００３６】
図６〜図８に示すように、本体部８６の先端部８１には、ＬＥＤ基板９７と導光板９８がねじ留めによって固定される。ＬＥＤ基板９７は前面に複数のＬＥＤを備え、演出時に所定の発光パターンに従ってＬＥＤを発光する。導光板９８はＬＥＤ基板９７の前面に取り付けられ、ＬＥＤ光の照射方向を誘導する。導光板９８の基端部には、後方へ向けて立ち上がる板状の規制部材９９が設けられる。規制部材９９は、可動部８３に設ける押え板９６（後述）の延伸方向先端側への移動を規制する。規制部材９９の後端には、切り欠き状の誘導部１０８が形成されている。ＬＥＤ基板９７と導光板９８がねじ留めされた状態で、規制部材９９はＬＥＤ基板９７の基端部よりも後側に突出する。誘導部１０８は、ＬＥＤ基板９７の基端部よりも後側に配置される。誘導部１０８は押え板９６に係合し、押え板９６の延伸方向への移動を誘導する。
【００３７】
本体部８６の溝内にはソレノイド９０が収容され、ねじ留めによって固定される。ソレノイド９０のプランジャ９１は、延伸方向先端側に突出する。プランジャ９１の周囲には、圧縮ばね９２が組み付けられる。圧縮ばね９２の基端部には、皿状のばねガイド９３が設けられる。ばねガイド９３は、ソレノイド９０の先端に当接する。プランジャ９１の先端部１０７は、鍔状に形成されている。先端部１０７は、可動部８３に接続される。
【００３８】
可動部８３は、可動カバー９４及び可動フレーム９５を備える。可動フレーム９５は透明な部材で形成され、ＬＥＤ基板９７及び導光板９８の前面側に配置される。可動フレーム９５は前面が弧状の凸面状に形成され、ＬＥＤ基板９７が発光するＬＥＤ光を透過する。可動フレーム９５は、ＬＥＤ基板９７及び導光板９８に対し、延伸方向に移動することができる。可動フレーム９５の基端部には、保持部１００が形成される。保持部１００は、本体部８６の幅方向略中央に配置される。保持部１００には、プランジャ９１の先端部１０７に係合する溝部が形成される。
【００３９】
保持部１００の後側には、押え板９６が取り付けられる。押え板９６は前後方向に厚みを有する板状の部材である。押え板９６は、本体部８６の幅方向略中央に配置される。押え板９６の基端部には、プランジャ９１の先端部１０７に係合する溝部が形成されている。押え板９６と保持部１００は、プランジャ９１の先端部１０７を前後方向に挟んで保持する。プランジャ９１は、可動フレーム９５に対して軸の周方向に回転可能な状態で抜け止めされる。故に可動フレーム９５は、プランジャ９１の軸線に対し、周方向に揺動することができる。即ち、可動部８３は、ソレノイド９０の駆動に伴う延伸方向への移動の際に、延伸方向に対する周方向にも揺動することができる。
【００４０】
押え板９６の幅方向両端には、一対の当接部１０６が形成されている。当接部１０６が保持部１００にねじ留めされることで、押え板９６が可動フレーム９５に固定される。可動部８３が延伸方向先端側へ移動したとき、当接部１０６は、導光板９８に設けた規制部材９９の基端側の面に当接する。このときの可動部８３の位置を、延伸方向において移動可能な範囲の最も先端側の位置である「突出位置」という（図６参照）。
【００４１】
押え板９６は、導光板９８の規制部材９９に形成された誘導部１０８に係合する。誘導部１０８は、押え板９６の延伸方向への移動を誘導する。図６に示すように、押え板９６の幅方向の長さＷ３は、誘導部１０８の幅方向の長さＷ４より短い。つまり誘導部１０８は、幅方向において、押え板９６との間に所定の間隙を有する。故に押え板９６は、誘導部１０８に対する幅方向への位置ずれが許容される。即ち、可動部８３は、ソレノイド９０の駆動に伴う延伸方向への往復移動の際に、幅方向にも移動することができる。
【００４２】
圧縮ばね９２の先端部は、保持部１００と押え板９６の基端に当接する。圧縮ばね９２は、ソレノイド９０と保持部１００及び押え板９６との間に挟まれて、可動フレーム９５を延伸方向先端側に向けて付勢する。即ち圧縮ばね９２は、演出体８０の本体部８６に対し、可動部８３を延伸方向先端側へ向けて付勢する。ソレノイド９０の駆動時、ソレノイド９０はプランジャ９１を延伸方向基端側へ移動する。プランジャ９１は、圧縮ばね９２の付勢力に抗して圧縮ばね９２を圧縮しつつ、可動部８３を延伸方向基端側へ向けて移動させる。延伸方向において移動可能な範囲の最も基端側の位置に移動したときの可動部８３の位置を、「退行位置」という（図８参照）。
【００４３】
押え板９６の後面には、後方へ向けて突出する突片１０１が形成されている。突片１０１は、本体部８６の幅方向略中央に設けられる。突片１０１は、演出体８０を収納部６０内に収納するときに、背板５１の溝部６７（図４参照）に係合する。前述したように、突片１０１を有する押え板９６は、圧縮ばね９２によって、延伸方向先端側へ向けて付勢されている。本体部８６が軸体８４，８５を軸に回動するので、突片１０１は、軸体８４，８５の軸心を中心に下側に膨らむ円弧状の軌道に沿って揺動する。演出体８０の収納時、突片１０１は、溝部６７内で、溝部６７の右側壁６８に当接する。突片１０１は、右側壁６８の形状に合わせて溝部６７に案内されて、延伸方向基端側へ移動する。
【００４４】
可動カバー９４は、ねじ留めによって可動フレーム９５に固定され、可動フレーム９５の前面を覆う。可動カバー９４は、延伸方向に延び後側が開放する半円筒状に形成され、延伸方向先端部分が半球状に閉じる。可動カバー９４の延伸方向における中間部分には、周方向に延びる複数のスリットが形成されている。ＬＥＤ基板９７が発光するＬＥＤ光は、可動フレーム９５の凸面部分を透過し、スリットを介して前方へ向けて照射される。可動部８３が延伸方向に移動すると、延伸方向におけるスリットの位置が変化し、前方に照射されるＬＥＤ光の照射パターンが変化する。
【００４５】
次に、図９、図１０を参照し、溝部６７の構成について説明する。前述したように、溝部６７の右側壁６８は、第一溝部６９、第二溝部７０、第三溝部７１を有する。第一溝部６９は、背板５１の下端部から上方に延びる。第二溝部７０は、第一溝部６９の上端部に接続し、右斜め上方に延びる。第二溝部７０が延びる方向は、軸体８４，８５を中心とする円の第二溝部７０付近における接線に略平行な方向である。第三溝部７１は、第二溝部７０の上端部に接続し、上方に延びる。第三溝部７１の上端部は、軸体８４，８５の水平位置よりも上に位置する。
【００４６】
次に、演出装置５０の動作について、図５、図６、図８〜図１０を参照して説明する。図５に示すように、非演出時、演出体８０は、収納部６０（図３参照）内に配置されている。演出体８０は、本体部８６の第一側壁８８が背板５１のストッパ１０９に当接する。このとき、駆動モータ５２の駆動力を伝達するラックギア６３は、左右方向への移動範囲において、右端に位置する。図１０に示すように、演出体８０の伝達部１０４の軸心は、軸体８４，８５の軸心の右斜め下方（矢印Ａ１で示す位置）に位置する。伝達部１０４は、ラックギア６３の案内部６５に設けられた溝形状の穴部において、上端寄りの位置に配置される。
【００４７】
また、演出体８０の突片１０１の軸心は、軸体８４，８５の軸心の水平位置よりも上方（矢印Ａ２で示す位置）に位置する。突片１０１が本体部８６の幅方向略中央に設けられるのに対し、軸体８４，８５は、本体部８６の第一側壁８８寄り、即ち幅方向の一端側に設けられる。よって、本体部８６の先端部８１は、収納部６０内において、基端部８２の右斜め上方に配置される。
【００４８】
演出時、演出基板のＣＰＵは、駆動モータ５２を制御し、ラックギア６３を左方に移動させる。案内部６５は、穴部の右側の内周面で、伝達部１０４を左方に押圧する。伝達部１０４は、軸体８４，８５の軸心を中心とする下側に膨らむ円弧状の軌道に沿って、左方へ移動する。故に伝達部１０４は、案内部６５の穴部内で、相対的に下方へ移動する。演出体８０は、伝達部１０４の移動に応じて軸体８４，８５の軸心を中心に時計回りに回動する。ＣＰＵは、フォトセンサ１０３が演出体８０の遮蔽板１０２を非検出となったときの演出体８０の回動位置を基準に、駆動モータ５２のステップ数を設定する。よってＣＰＵは、可動部８３が収納部６０から露出する位置から延伸方向が上下方向に沿う位置までの任意の位置に演出体８０を回動し、演出体８０の演出動作を行うことができる。
【００４９】
伝達部１０４が軸体８４，８５の軸心の直下に位置するとき、伝達部１０４は、案内部６５の穴部内で相対的に移動可能な範囲の最下点（矢印Ｂ１で示す位置）に位置する。演出体８０の突片１０１は、伝達部１０４が軸体８４，８５の側方から下方に移動する過程で背板５１よりも下方（矢印Ｂ２で示す位置）に位置し、溝部６７とは非係合の状態になる。よって可動部８３は、圧縮ばね９２によって延伸方向先端側に押圧されて、突出位置に配置される。
【００５０】
駆動モータ５２がステップ数に応じて駆動され、ラックギア６３が更に左方に移動すると、伝達部１０４は下側に膨らむ円弧状の軌道に沿って、更に左方へ移動する。伝達部１０４は、案内部６５の穴部内で、相対的に上方へ移動する。図９に示すように、演出体８０の本体部８６の第二側壁８９がストッパ１１０に当接したとき、演出体８０は、延伸方向が上下方向に沿う位置に配置される。ラックギア６３は、左右方向への移動範囲の左端に位置する。図１０に示すように、伝達部１０４の軸心は、軸体８４，８５の軸心の左斜め下方（矢印Ｃ１で示す位置）に位置する。伝達部１０４は、案内部６５の穴部において、上端寄りの位置に配置される。演出体８０の突片１０１は、軸体８４，８５の下方よりも左側（矢印Ｃ２で示す位置）に位置する。突片１０１は、溝部６７とは非係合の状態である。
【００５１】
演出基板のＣＰＵは、演出体８０のソレノイド９０とＬＥＤ基板９７に通電し、プランジャ９１の駆動とＬＥＤの発光を所定のパターンに従って行う。図８に示すように、ソレノイド９０が通電されると、プランジャ９１に接続する可動部８３は、退行位置に移動する。図６に示すように、ソレノイド９０が非通電となると、可動部８３は、圧縮ばね９２に押圧されて、突出位置に移動する。ＣＰＵはソレノイド９０への通電と非通電を繰り返す。可動部８３は、退行位置と突出位置との間において、往復移動を繰り返す。
【００５２】
押え板９６の当接部１０６が突出位置で規制部材９９に当接したとき、可動部８３は、当接部１０６が規制部材９９から受ける反力によって、退行位置側へ向けて僅かに移動するが、圧縮ばね９２によって突出位置に戻される。すなわち、可動部８３は、退行位置と突出位置との間で、跳ね返りと付勢による延伸方向への僅かな揺れを含み、ソレノイド９０の駆動に伴うストロークの大きな動作で往復移動を行う。また、押え板９６の幅方向の長さＷ３は、規制部材９９の誘導部１０８の幅方向の長さＷ４より短い。即ち、押え板９６は、幅方向において、誘導部１０８との間に所定の間隙を有する。故に可動部８３は、退行位置と突出位置との間における往復移動の過程で、幅方向に僅かに揺れながら動くことができる。間隙の大きさは、ソレノイド９０が駆動するプランジャ９１の移動長さ（ストローク）よりも小さい。更に、可動部８３は、プランジャ９１の軸線に対し、周方向に揺動することもできる。このように可動部８３は、ソレノイド９０の駆動によって大きなストロークで目立つように往復移動しながらも、あたかも振動モータを内蔵するかの如きぶれを生じた動作を行うことができる。そして、ラックギア６３の案内部６５の溝幅Ｗ１は、伝達部１０４のワッシャ１０５の外径Ｗ２よりも若干大きい。即ち、伝達部１０４を有する本体部８６は、可動部８３の往復移動に伴う振動で、左右方向に僅かに揺れ動くことができる。従って、可動部８３だけでなく、本体部８６も含めた演出体８０の全体が、可動部８３の往復移動に伴い、あたかも振動モータを内蔵するかの如きぶれを生じた動作を行うことができる。また、可動カバー９４のスリットを介して前方に照射されるＬＥＤ光も、可動部８３及び本体部８６のぶれを伴う動作によって瞬いて照射される。故に演出体８０は、振動のようなぶれを伴う可動部８３の往復移動と、ＬＥＤ光の瞬きによって、遊技者の注目を集めることができる。
【００５３】
演出が終了すると、演出基板のＣＰＵは、駆動モータ５２を制御し、ラックギア６３を右方に移動させる。図１０に示すように、案内部６５は、穴部の左の内周面で、矢印Ｃ１に位置する伝達部１０４を右方に押圧する。伝達部１０４は、軸体８４，８５の軸心を中心とする下側に膨らむ円弧状の軌道に沿って、右方へ移動する。伝達部１０４は、案内部６５の穴部内で、相対的に下方へ移動する。演出体８０は、伝達部１０４の移動に応じて軸体８４，８５の軸心を中心に反時計回りに回動する。なお、演出基板のＣＰＵは、演出体８０を収納部６０に収納する収納過程において、駆動モータ５２の出力軸を一定速度で回転させ、演出体８０を一定の角速度で回動させるものとする。
【００５４】
伝達部１０４が軸体８４，８５の軸心の直下（矢印Ｂ１の位置）を通過すると、伝達部１０４は、案内部６５の穴部内で、相対的に上方へ移動する。突片１０１は、下側に膨らむ円弧状の軌道に沿って背板５１の溝部６７内に進入する。
【００５５】
伝達部１０４が、円弧状の軌道に沿って、軸体８４，８５の軸心の直下よりも右側の位置（矢印Ｄ１で示す位置）に移動したとき、突片１０１は、溝部６７の右側壁６８のうち、最下部に設けられた第一溝部６９に、矢印Ｄ２で示す位置において当接する。このとき、可動部８３は、突出位置にある。突片１０１は、軸体８４，８５の軸心を中心とする下側に膨らむ円弧状の軌道に沿って回動を続けるが、第一溝部６９によって、右方への移動が規制される。故に突片１０１は、押え板９６によって圧縮ばね９２を圧縮し、軸体８４，８５の軸心との間の距離を縮めながら、第一溝部６９に上向きに案内される。可動部８３は、突片１０１が第一溝部６９に案内される間、突出位置から退行位置側へ向けて移動する。
【００５６】
突片１０１は、第一溝部６９に次いで、第一溝部６９の上端に接続する第二溝部７０に案内される。第二溝部７０は、突片１０１を、右斜め上向きに案内する。突片１０１は、軸体８４，８５の軸心を中心とする下側に膨らむ円弧状の軌道に沿って回動を続ける。第二溝部７０において、突片１０１は、右方への移動に対する規制が緩和される。故に突片１０１は、圧縮ばね９２に対する圧縮を緩和し、軸体８４，８５の軸心との間の距離を僅かに縮めながら、第二溝部７０に右斜め上向きに案内される。可動部８３は、突片１０１が第二溝部７０に案内される間、突出位置から退行位置側へ向けて移動する。
【００５７】
突片１０１は、第二溝部７０に次いで、第二溝部７０の上端に接続する第三溝部７１に案内される。第三溝部７１は、突片１０１を、上向きに案内する。突片１０１は、軸体８４，８５の軸心を中心とする下側に膨らむ円弧状の軌道に沿って回動を続ける。第三溝部７１において、突片１０１は、第一溝部６９と同様に、右方への移動が規制される。故に突片１０１は、圧縮ばね９２を圧縮し、軸体８４，８５の軸心との間の距離を更に縮めながら、第三溝部７１に上向きに案内される。可動部８３は、突片１０１が第三溝部７１に案内される間、突出位置から退行位置側へ向けて移動する。
【００５８】
演出基板のＣＰＵは、フォトセンサ１０３が遮蔽板１０２を検出したときの演出体８０の回動位置を基準に、本体部８６の第一側壁８８がストッパ１０９に当接するまでの駆動モータ５２のステップ数を設定する。ＣＰＵが設定するステップ数によって演出体８０が回動する角度は、遮蔽板１０２がフォトセンサ１０３に検出されたときの演出体８０の回動位置から、第一側壁８８がストッパ１０９に当接する位置までの角度よりも大きい。故にＣＰＵは、演出体８０の重さによって、たとえ駆動モータ５２に空転が生じても、確実に、第一側壁８８がストッパ１０９に当接する位置に演出体８０を回動させて、収納部６０内に収納させることができる。
【００５９】
このように、演出体８０の収納部６０への収納過程において、演出基板のＣＰＵは、可動部８３の退行位置側への移動を、ソレノイド９０の駆動によって行わない。このため、ソレノイド９０の駆動に伴う熱は、収納部６０内に籠もりにくい。
【００６０】
演出体８０の可動部８３は、収納部６０内で、本体部８６の右斜め上方に配置される。演出体８０にかかる回転モーメントは、可動部８３が本体部８６の真横に配置される場合よりも小さい。故に駆動モータ５２は、静止トルクによって確実に、演出体８０を収納部６０内に収納した状態を維持することができる。
【００６１】
以上説明したように、演出時、可動部８３はソレノイド９０が通電されることによって退行位置へ移動する。可動部８３は、ソレノイド９０が非通電となることによって圧縮ばね９２によって付勢され、突出位置へ向けて移動する。可動部８３は、突出位置で規制部材９９に当接したとき、反力によって跳ね返り、退行位置へ向けて僅かに移動するが、圧縮ばね９２によって突出位置に戻される。この一連の動作が繰り返されることによって、可動部８３は、突出位置と退行位置との間で、跳ね返りと付勢による延伸方向への微小な揺れを含む、往復移動を行う。故に、演出装置５０は、ソレノイド９０の駆動によって、可動部８３を大きなストロークで目立つように往復移動させながらも、可動部８３にあたかも振動モータを内蔵するかの如き動作を行わせることができる。
【００６２】
誘導部１０８は、押え板９６の延伸方向に直交する方向への位置ずれを許容する。よって演出体８０の可動部８３は、突出位置と退行位置との間で往復移動を行う際に、延伸方向に直交する方向に、微小に揺れながら移動することができる。故に、演出装置５０は、ソレノイド９０の駆動によって、可動部８３を大きなストロークで目立つように往復移動させながらも、可動部８３にあたかも振動モータを内蔵するかの如き動作を行わせることができる。
【００６３】
誘導部１０８は、押え板９６の周方向への位置ずれを許容する。よって演出体８０の可動部８３は、突出位置と退行位置との間で往復移動を行う際に、周方向にも微小に揺れながら移動することができる。故に、演出装置５０は、ソレノイド９０の駆動によって、可動部８３を大きなストロークで目立つように往復移動させながらも、可動部８３にあたかも振動モータを内蔵するかの如き動作を行わせることができる。
【００６４】
案内部６５は、伝達部の左右方向への位置ずれを許容する。よって演出体８０は、可動部８３が突出位置と退行位置との間で往復移動を行う際に、可動部８３の移動に伴い生ずる振動で、左右方向に微小に揺れることができる。故に、演出装置５０は、ソレノイド９０の駆動によって、可動部８３を大きなストロークで目立つように往復移動させながらも、可動部８３にあたかも振動モータを内蔵するかの如き動作を行わせ、且つその動作に合わせて演出体８０を揺れ動かすことができる。
【００６５】
本発明は、以上詳述した実施の形態に限定されるものではなく、本発明の要旨を逸脱しない範囲内において種々の変更が可能であることは言うまでもない。伝達部１０４は、演出体８０の本体部８６に一体に設けたが、別体に形成し、本体部８６に組み付ける構成であってもよい。案内部６５も同様に、ラックギア６３と別体に設け、ラックギア６３の右端部に組み付ける構成であってもよい。
【００６６】
ラックギア６３は、案内部６５を右端部に設け、左右方向に移動する構成としたが、これに限らず、案内部６５を左端部に設け、演出体８０の収納時には左方に移動し、演出体８０による演出時には右方に移動する構成であってもよい。また、ラックギア６３の移動方向は、左右方向に限らず、上下方向であってもよいし、斜め方向であってもよい。
【００６７】
演出体８０は、本体部８６の基端部８２において、伝達部１０４を軸体８４，８５よりも基端側に設けてもよい。この場合、前面視で演出体８０が収納時に反時計回りに回動する本実施形態同様の構成とするには、収納時に、伝達部１０４が軸体８４，８５よりも上側に配置されるようにすればよい。そして、ラックギア６３は、軸体８４，８５の上側に配置して左右方向に移動し、伝達部１０４が軸体８４，８５の軸心を中心に上側に膨らむ円弧状の軌道に沿って揺動するように、案内部６５で伝達部１０４を案内すればよい。なお、軸体８４，８５を伝達部１０４よりも基端側に設ける本実施形態の構成とすることで、演出体８０は、軸体８４，８５の位置から可動部８３の先端の位置までの長さを大きく確保し、演出体８０の大きさを変えずに回動半径を大きくすることができるので、望ましい。
【００６８】
特許請求の範囲、明細書及び図面に記載される全ての要素（例えば、表示装置、普通電動役物、図柄作動口等）は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示装置」は、ハード単体でも、ソフトを含んだものであっても構わない。更には、上記全ての要素のうちの複数の要素を適宜一体的に構成するか、もしくはひとつの要素を複数の要素に分けて構成するかは、特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００６９】
なお、本発明においては、パチンコ機１が「遊技機」に相当する。左右方向が、「第一方向」に相当する。上下方向が、「第二方向」に相当する。
【符号の説明】
【００７０】
１                          パチンコ機
２                          遊技盤
４                          遊技領域
１４                        装飾枠
１９                        開口部
２７                        表示面
２８                        図柄表示装置
５０                        演出装置
５２                        駆動モータ
６２                        ピニオンギア
６３                        ラックギア
６５                        案内部
８０                        演出体
８１                        先端部
８２                        基端部
８３                        可動部
８４，８５                  軸体
８６                        本体部
９０                        ソレノイド
９１                        プランジャ
９２                        圧縮ばね
９６                        押え板
９９                        規制部材
１０４                      伝達部
１０６                      当接部
１０７                      先端部
１０８                      誘導部
【図１】
0006364680.tif 000002
【図２】
0006364680.tif 000003
【図３】
0006364680.tif 000004
【図４】
0006364680.tif 000005
【図５】
0006364680.tif 000006
【図６】
0006364680.tif 000007
【図７】
0006364680.tif 000008
【図８】
0006364680.tif 000009
【図９】
0006364680.tif 000010
【図１０】
0006364680.tif 000011